(57)【特許請求の範囲】
【請求項１】
収容ケース内において、被梱包物を支持乃至は保持し、外側を締め付けバンドが沿わされる梱包材であって、
該梱包材は、前記被梱包物の下方に位置する支持部材と、上方に位置する保持部材とを有し、
前記支持部材または前記保持部材の少なくとも一方には、前記締め付けバンドが挿通される凹溝が一方向に沿って形成され、
該凹溝の底面は、前記一方向に沿った中央部に形成された平坦面と、該平坦面の両端から前記凹溝の両端まで、前記平坦面に対して連続的に傾斜した傾斜面とを有することを特徴とする梱包材。
【請求項２】
前記各傾斜面は、傾斜勾配が異なる複数の傾斜面からなることを特徴とする請求項１に記載の梱包材。
【請求項３】
前記各傾斜面は、前記平坦面の端部から前記凹溝の端部に進むに従って傾斜勾配が大きくなっていることを特徴とする請求項２に記載の梱包材。
【請求項４】
収容ケース内において、複数の被梱包物を並置して梱包するための梱包材であって、
前記梱包材は、前記並置された複数の被梱包物の下部を支持する複数の支持溝が形成された少なくとも１つの支持部材と、
前記並置された複数の被梱包物の上部を保持する複数の保持溝が形成された少なくとも１つの保持部材と、を備えており、
前記支持部材または前記保持部材の少なくとも一方には、前記複数の被梱包物を固定するための締め付けバンドが挿通される凹溝が一方向に沿って形成されており、
該凹溝の底面は、前記一方向に沿った中央部に形成された平坦面と、該平坦面の両端から前記凹溝の両端まで、前記平坦面に対して連続的に傾斜した傾斜面とを有することを特徴とする梱包材。
【請求項５】
前記凹溝の底面に沿って凹溝内に挿通される補強用の板材をさらに備えていることを特徴とする請求項４に記載の梱包材。
【発明の詳細な説明】
【技術分野】
【０００１】
本発明は、被梱包物を収容ケース内に収容する梱包材、例えば、被梱包物を立てた姿勢で収容ケース内に収容する梱包材に関する。
【背景技術】
【０００２】
従来、この種の被梱包物を梱包材としては、本願出願人の出願に係る梱包材がある。この梱包材は、収容ケース内に収容されており、被梱包物を立てた姿勢で支持する支持部材と、被梱包物を位置決めするための収容溝を形成した収容保持部材とを備えており、収容保持部材は、収容ケースに締め付けバンドで固定されている（例えば、特許文献１参照）。【０００３】
前記のように構成された梱包材は、立てた姿勢にある被梱包物に座屈を生じさせることなく、かつ被梱包物に対する締め付けバンドの掛け渡しも容易に行える等の所望の効果を奏するものである。
【先行技術文献】
【特許文献】
【０００４】
【特許文献１】特開２０１２−７６８０８号公報
【発明の概要】
【発明が解決しようとする課題】
【０００５】
しかしながら、このように構成された梱包材を用いて被梱包物を梱包した梱包体を、舗装されていない公道が多く道路事情が悪いところでは、輸送の振動で、走行中に荷崩れが発生することがある。また、具体的には、被梱包物を搬送する際、道路の凹凸等により過大な衝撃が梱包材に加わる。この結果、締め付けバンドの緩みにより、梱包材から被梱包物の外れが起こりやすく、被梱包物にダメージを与えるおそれがある。また、梱包体の積み下ろしの際にも同様の現象が起こりうる。特に被梱包物が重量物である場合には、このような現象は顕著である。【０００６】
本発明は、このような問題に鑑みてなされたものであって、その目的とするところは、被梱包物を、梱包材を用いて収容ケース内に収容固定し搬送する際、衝撃等で被梱包物が梱包材から外れることを防止し、被梱包物を収容ケース内に安定して固定することができる梱包材を提供することにある。
【課題を解決するための手段】
【０００７】
前記目的を達成すべく、本発明に係る梱包材は、収容ケース内において、被梱包物を支持乃至は保持し、外側を締め付けバンドが沿わされる梱包材であって、締め付けバンドが挿通される凹溝が一方向に沿って形成され、前記凹溝の底面は前記一方向に沿った中央部に形成された平坦面と、該平坦面の両端から前記凹溝の両端まで、前記平坦面に対して連続的に傾斜した傾斜面とを有することを特徴としている。【０００８】
前記のごとく構成された本発明の梱包材では、収容ケース内において、梱包材で被梱包物を支持乃至は保持し、梱包材の外側に締め付けバンドを沿わせ、一方向に沿って形成された凹溝に締め付けバンドを挿通して締め付けると、締め付けバンドは中央部の平坦面と、この平坦面の両端から凹溝の両端まで、平坦面に対して連続的に傾斜した一対の傾斜面に沿って、被梱包物を締め付けるため、凹溝が形成された梱包材の両端に過大な荷重がかからず、安定して被梱包物を梱包材に支持あるいは保持することができる。【０００９】
より好ましい態様としては、前記各傾斜面は、各傾斜勾配が異なる複数の傾斜面からなり、さらに好ましくは、前記各傾斜面は、前記平坦面の両端から前記凹溝の端部に進むに従って傾斜勾配が大きくなっている。【００１０】
この態様によれば、凹溝に形成された各傾斜面は、平坦面の端部から前記凹溝の端部に進むに従って傾斜勾配が異なるので、上下方向とは異なる複数の方向から、凹溝が形成された梱包材を締め付けることができる。これにより、締め付けバンドによる締め付け状態をより安定させ、被梱包物をより安定的に保持することができる。特に、各傾斜面を、前記平坦面の端部から前記凹溝の端部に進むに従って傾斜勾配が大きくすることにより、締め付けバンドでより安定した締め付け状態を維持することができる。【００１１】
本発明の他の態様としては、収容ケース内において、複数の被梱包物を並置して梱包するための梱包材であって、前記梱包材は、前記並置された複数の被梱包物の下部を支持する複数の支持溝が形成された少なくとも１つの支持部材と、前記並置された複数の被梱包物の上部を保持する複数の保持溝が形成された少なくとも１つの保持部材と、を備えており、前記支持部材または前記保持部材の少なくとも一方には、前記複数の被梱包物を固定するための締め付けバンドが挿通される凹溝が一方向に沿って形成されており、該凹溝の底面は、前記一方向に沿った中央部に形成された平坦面と、該平坦面の両端から前記凹溝の両端まで、前記平坦面に対して連続的に傾斜した傾斜面とを有することを特徴としている。【００１２】
前記のごとく構成された本発明の他の態様の梱包材では、並置された複数の被梱包物の下部を支持部材の複数の支持溝で支持し、並置された複数の被梱包物の上部を保持部材の複数の保持溝で保持することができる。この状態で、支持部材または保持部材の少なくとも一方において、形成された凹溝に締め付けバンドを挿通して締め付けることで、凹溝が形成された支持部材または保持部材を複数の被梱包物に向かって押圧することができる。ここで、凹溝の底面は前記一方向に沿った中央部に平坦面を有し、さらにその両端には平坦面の両端から凹溝の両端まで、平坦面に対して連続的に傾斜した一対の傾斜面を有するので、上下方向ばかりでなく、傾斜面に対して垂直方向においても、締め付けバンドによる締め付け力（押圧力）を作用させることができる。これにより、凹溝が形成された支持部材または保持部材の両端に過大な荷重がかからず、安定して被梱包物を梱包材に保持することができる。【００１３】
より好ましい態様としては、前記凹溝の底面に沿って凹溝内に挿通される補強用の板材をさらに備えている。この態様によれば、凹溝の強度を補強でき割れやずれを防止できるため、被梱包物の移動をさらに防止して、梱包状態を安定させることができる。
【発明の効果】
【００１４】
本発明によれば、被梱包物を、梱包材を用いて収容ケース内に収容固定し搬送する際、衝撃等で被梱包物が梱包材から外れることを防止し、被梱包物を収容ケース内に安定して固定することができる。
【図面の簡単な説明】
【００１５】
【図１】本発明に係る梱包材の一実施形態を使用して被梱包物を収容する収容ケースの斜視図。
【図２】（ａ）は図１の収容ケース内に収容される被梱包物と梱包材とを組み合わせた状態の斜視図、（ｂ）は要部拡大図。
【図３】図１の収容ケース内に図２の梱包材及び被梱包物を収容した状態の正面図。
【図４】図３の右側面図。
【図５】図３の平面図。
【図６】保持部材と補強板材を示す斜視図。
【図７】収容ケース、被梱包物、保持部材、締め付けバンドの動作説明のための要部断面図。
【図８】本発明に係る梱包材と梱包体の他の実施形態を示す収容ケース、被梱包物、保持部材、締め付けバンドの要部断面図。
【図９】図８の動作説明図。
【発明を実施するための形態】
【００１６】
以下、本発明に係る梱包材と、これを用いた梱包体の一実施形態を図面に基づき詳細に説明する。収容ケース１は箱型であり、本実施の形態では、図１に示すように、木製またはスチール製の角材を用いて、直方体状としており、下方には移動、搬送の際に使用されるフォークリフトのフォークが入るための空隙が形成されている。
【００１７】
収容ケース１は互いに平行な４本の柱２ａ、２ｂ、２ｃ、２ｄと、４本の柱の下端を連結する下梁材３ａ、３ｂ、３ｃ、３ｄと、４本の柱の上端を連結する上梁材４ａ、４ｂ、４ｃ、４ｄとから直方体に形成されている。
【００１８】
収容ケース１は、短い側の下梁材３ａ、３ｃ同士の上に、３本の間隙用横架材５，５…が固定され、この３本の横架材の上方に床面を構成する床材６，６…が並べられ固定されている。
【００１９】
横架材５により下梁材３ａ，３ｃと床材６との間に前記フォークリフト用の空隙７が形成される。また、床材６，６…の側端部には、後述する支持部材を位置決めするための横材８，８が固定されている。なお、収容ケース１は木製の角材を用いるものでなく、鉄製の角材やパイプを縦横に組み立てて溶接したものでもよい。収容ケース１の大きさは、内部に位置する被梱包物Ｐが接触しないような長さの各部材で構成されている。例えば、図３に示すように、被梱包物Ｐの平面形状が、収容ケース１の柱２ａ、２ｂ、下梁材３ａ、上梁材４ａの内側になるように収容ケース１の各部材の長さが設定されている。
【００２０】
本実施形態において、被梱包物として梱包される被梱包物Ｐ，Ｐ…は、基本的には自立し難いたとえば板状またはパネル状の部品の形状である。収容ケース１は、後述する梱包材を用いて、複数の（７つの）被梱包物を立てた姿勢で一方向Ｌに並置して（平行状態に並べ）、梱包したものを収容する枠体である。なお、被梱包物は矩形板状に限られるものでなく、三角形状や楕円形状、その一部が湾曲した形状、あるいは他の適宜の形状であってもよい。
【００２１】
本実施の形態では、梱包材１０は、収容ケース１内において、被梱包物Ｐを支持乃至は保持し、外側を締め付けバンド４０が沿わされる梱包材であり、被梱包物Ｐの下方に位置する支持部材１１，１１と、上方に位置する保持部材２０とから構成される。具体的には、被梱包物Ｐは下辺（下部）を平行な２本の支持部材１１，１１で支持され、上辺（上部）を１本の保持部材２０で保持されて収容ケース１内に収容固定されるように構成されている。支持部材１１，１１と保持部材２０とは、相互に平行状態となるように設置される。
【００２２】
被梱包物Ｐの下部を支持する支持部材１１，１１、および、被梱包物Ｐの上部を保持する及び保持部材２０は、梱包品である被梱包物Ｐに対して適宜の緩衝性を備え、かつ所要の機械的強度を有する任意の材料により作ることができる。好ましくは、成形の容易性や軽量性の観点から、発泡樹脂成形品が好適であり、より好ましくは型内発泡成形品である。
【００２３】
樹脂材料としては、熱可塑性樹脂が好適であり、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。これらの樹脂材料を発泡させた場合には、その発泡倍率は、梱包しようとする被梱包物の重量や形状等を勘案して適宜設定すればよいが、緩衝性がよく、軽量で経済的である点から、好ましくは４０〜６０倍程度、より好ましくは５０倍（０．２０ｇ／Ｌ）程度である。
【００２４】
支持部材１１には、並置された複数の被梱包物Ｐの下部を支持する複数の支持溝１２，１２…が、一方向Ｄに所定の間隔を空けて形成されている。支持溝１２は、２つの支持部材１１，１１の対向する上角部に直方体の陥没部として形成されている。支持溝１２は、被梱包物Ｐのうち支持される下部の肉厚と等しく、あるいは僅かに小さく形成されている。この構成により被梱包物Ｐの下部は、その角部が複数の支持溝１２，１２…に嵌合あるいは押し込まれて支持される構成となっている。このように、支持部材１１は、複数の被梱包物Ｐ，Ｐ…の重量を受け持つとともに、所定の間隔で被梱包物Ｐ，Ｐ…を並設する機能を有している。
【００２５】
また、支持部材１１の支持溝１２は、図２（ｂ）に示すように、被梱包物Ｐに面方向の移動を防止するための側壁１３を有している。この側壁１３により支持溝１２は側壁に突き当たる形状となっている。なお、この側壁１３は必ずしも必要でなく、突き当たりの形状でなく、両端が開口する形状の溝でもよい。いうまでもなく、被梱包物Ｐ，Ｐ…を収容するため、その収容箇所に対応する形状を有していればよい。
【００２６】
保持部材２０には、被梱包物Ｐ，Ｐ…の上辺を保持する保持溝２１，２１…を所定の間隔で、一方向Ｄに所定の間隔を空けて形成されている。保持溝２１は、被梱包物Ｐの支持される上部の肉厚と等しく、あるいは僅かに小さく形成されている。この構成により被梱包物Ｐの上部は、保持部材２０の下面に形成された複数の保持溝２１，２１…に嵌合あるいは押し込まれて保持される構成となっている。このように、保持部材２０は、複数の被梱包物Ｐ，Ｐ…の上部の間隔を保持して、被梱包物Ｐを所定の間隔で保持する機能を有している。そして、支持部材１１と保持部材２０により図２に示されるように、複数の被梱包物Ｐを並べることができる。
【００２７】
保持部材２０の上面には、複数の被梱包物Ｐ，Ｐ…を並置する一方向Ｄに沿って、凹溝２２が形成されている。凹溝２２は、複数の被梱包物Ｐ，Ｐ…を収容ケース１内に収容固定するための締め付けバンド４０を挿通するものであり、凹溝の幅は締め付けバンド４０の幅より僅かに大きく形成されている。
【００２８】
ここで、凹溝２２の底面は、一方向Ｄに沿った中央に形成された平坦面２３と、平坦面２３の両端から凹溝２２の両端まで、平坦面２３に対して下方に連続的に傾斜した傾斜面２４とを有している。すなわち、平坦面２３を構成する凹溝２２の部分では、その溝深さは一定であり、傾斜面２４を構成する凹溝２２の部分では、その溝深さは、凹溝の端部に進むに従って除々に深くなっている。凹溝２２の底面は、平坦面２３と、傾斜面２４とが組み合わされた、締め付け時に締め付けバンド４０が対接する対接面となっている。
【００２９】
本実施形態では、傾斜面２４は、傾斜勾配が異なる複数の傾斜面２４ａ，２４ｂからなり、各傾斜面２４ａ，２４ｂは、平坦面２３の両端から凹溝２２の端部に進むに従って下方に傾斜する傾斜勾配が大きくなっている。
【００３０】
より具体的には、各傾斜面２４は、平坦面２３の端部から連続的に下方に傾斜する第１の傾斜面２４ａと、第１の傾斜面２４ａから連続的に凹溝２２の端部まで傾斜する第２の傾斜面２４ｂとからなる。
【００３１】
第１の傾斜面２４ａの傾斜勾配は、平坦面２３に対して２°程度であり、第１の傾斜面２４ａの凹溝２２の溝方向に沿った全長は、後述する第２の傾斜面２４ｂのものよりも長い。第２の傾斜面２４ｂの傾斜勾配は、第１の傾斜面２４ａよりも大きく、平坦面２３に対して３０°〜６０°程度であり、より好ましくは４５°である。
【００３２】
締め付けバンド４０としては、ポリプロピレン樹脂製のバンドが好ましいが、これに限られるものでなく、布製や皮製のバンドやベルト等で被梱包物Ｐ，Ｐ…を締め付け固定できるものであれば、材質等は問わない。締め付けバンド４０は例えばバックル２６等を有し、締め付け状態を保持できる構成となっている。
【００３３】
本発明の梱包材１０では、他の実施形態として、図６に示すように、保持部材２０の凹溝２２内に補強用の板材３０を備えてもよい。この実施形態では、凹溝２２内に補強用の板材３０として、板厚が３〜２５ｍｍ程度で、長手方向の長さＬが平坦面２３と、第１の傾斜面２２ｂ，２２ｂの長さを加えた長さの合板（プライウッド）が用いられている。
【００３４】
板材３０の幅は凹溝２２の幅に合わせて嵌合可能に設定され、凹溝の幅より僅かに小さくても、あるいは大きくてもよい。僅かに小さい場合は、凹溝２２への挿入が抵抗なく行え、僅かに大きい場合は挿入時に多少の抵抗があるが、挿入後に凹溝２２内での板材３０の位置は安定する。
【００３５】
板材３０としては合板が好ましいが、金属板や、樹脂板等適宜のものを用いることができ、締め付けバンドで締め付けられたときに凹溝の底面形状に合わせて湾曲できるように変形できるものが好ましい。
【００３６】
前記の如く構成された本実施形態の梱包材を用いた被梱包物Ｐの収容動作について以下に説明する。被梱包物Ｐ，Ｐ…を収容ケース１内に収容して梱包するときは、収容ケース１の側面の位置決めのための横材８に沿わせて、２つの支持部材１１，１１を床材６の板面に載置する。このとき、支持部材１１，１１の支持溝１２，１２…の開口部が相互に向き合うように載置する。つぎに、被梱包物Ｐの下辺の角部（下部）を支持溝１２，１２に挿入すると、被梱包物Ｐは板面と交差する方向（Ａ方向）の移動が規制されるとともに、板面方向と交差する方向（Ｂ方向）の移動も規制される。この操作を収容される被梱包物Ｐの個数分だけ、本実施形態では７個分繰り返す。このようにして、各対向した支持溝１２，１２に、７個の被梱包物Ｐ，Ｐ…を立てた姿勢で一方向に並置する。
【００３７】
このあと、平行状態に並べられた７個の被梱包物Ｐ，Ｐ…の上辺（上部）を保持するため、保持部材２０を取り付ける。保持部材２０の下向きの保持溝２１，２１…に被梱包物Ｐの上辺を挿入して食い込ませ、７個分食い込ませて保持部材２０の保持を完了させる。この状態では、７個の被梱包物Ｐ，Ｐ…は所定の間隔で平行状態に並べられ一体化され、上辺の面方向と交差する方向（Ｂ方向）の倒れを規制することができる。支持部材１１、保持部材２０の強度、支持溝１２、保持溝２１の深さ、被梱包物Ｐの重量によるが、この状態での自立が可能となる場合もある。
【００３８】
つぎに、凹溝２２に締め付けバンド４０を挿通するとともに、保持部材２０と収容ケース１とに締め付けバンド４０を巻回して、平行状態に並べられた複数の被梱包物Ｐ，Ｐ…を締め付けて収容ケース１に固定する。
【００３９】
具体的には、収容ケース１の上梁材４ａ，４ｃの下を通して締め付けバンド４０を保持部材２０の凹溝２２に挿通し、締め付けバンド４０の端部を下梁材３ａ側の空隙７に通し、反対側の下梁材３ｃ側の空隙に通して、バックル２６等で締め付けることで被梱包物Ｐ，Ｐ…は収容ケース１に固定される。これにより、被梱包物Ｐ，Ｐ…の上下方向（Ｃ方向）の移動が規制される。
【００４０】
図７に示すように、締め付けバンド４０に張力Ｔを加えて締め付けると、凹溝２２は中央が平坦面２３であり、平坦面の両端から緩い勾配の第１の傾斜面２４ａ，２４ａが連続し、さらに保持部材の端面まで大きい勾配の第２の傾斜面２４ｂ，２４ｂが形成されているため、保持部材２０の長手方向の中央の平坦面２３は緩く押圧される。さらに、締め付けバンド４０を締め付けていくにしたがって、第１の傾斜面２４ａ，２４ａ部分では外側に向けて徐々に押圧が強まり、勾配の大きい端部の第２の傾斜面２４ｂ，２４ではさらに強く押圧することができる。
【００４１】
そして、凹溝２２は中央が平坦面２３と、その両端には平坦面２３の両端から凹溝２２の両端まで連続的に傾斜した傾斜面２４を有するので、上下方向ばかりでなく、傾斜面２４に対して垂直方向においても、締め付けバンドによる締め付け力（押圧力）を作用することができる。特に、本実施形態では、第１の傾斜面２４ａと第２の傾斜面２４ｂとを平坦面２３の両側に設けることにより、上下方向に加えさらに、これとは異なる４つ方向から、凹溝２２が形成された支持部材１１を、締め付けバンド４０で締め付けることができる。
【００４２】
このような結果、被梱包物Ｐを強く締め付けることができ、締め付けバンド４０の緩みを抑え、収容ケース１内で衝撃等により梱包材としての支持部材１１、保持部材２０が移動することを防止することができる。そして、複数の被梱包物Ｐ，Ｐ…を、梱包材１０を用いて収容ケース１内に収容固定し搬送する際、衝撃等で被梱包物Ｐが梱包材１０から外れることを防止し、被梱包物Ｐを収容ケース１内に安定して固定することができる。
【００４３】
また、保持部材２０の上面に凹溝２２を設けることにより、支持部材１１は複数の被梱包物Ｐ，Ｐ…の重量で保持され、保持部材２０により、複数の被梱包物Ｐ，Ｐ…を上方から締め付けバンド４０で押さえ込むように固定することができる。
【００４４】
なお、前記の実施形態では、傾斜面２４は、平坦面２３の端部から凹溝２２の端部に進むに従って、傾斜勾配が大きくなった、第１の傾斜面２４ａおよび第２の傾斜面２４ｂを有するものであるが、傾斜面の形態これに限られるものでなく、例えば、平坦面の端部から前記凹溝の端部に進むに従って、平坦面に対して傾斜勾配が大きくなるように形成された曲面からなる傾斜面であってもよい。また、凹溝側の曲面の曲率半径が平坦部側（凹溝の中央部）より大きい楕円面で構成されていてもよい。このように凹溝の底面を曲面や楕円面で形成することで、前記と同様の作用効果を達成することができる。
【００４５】
さらに、図８に示すように、保持部材２０の凹溝２２内に補強用の板材３０を介在させると、さらにその効果を増やすことができる。すなわち、保持部材２０の凹溝２２に締め付けバンド４０を巻回させるときに、図８に示すように、凹溝２２の底面に補強用の板材３０を予めはめ込んでおく。そして、板材３０の上面側に接するように締め付けバンド４０を巻回させて保持部材２０を締め付ける。
【００４６】
さらに、支持部材１１は、間隔を空けて２本平行状態に並設され、保持部材２０は平行な２本の支持部材１１の中間位置に平行状態に１本配置されるので、下側を２本の支持部材１１，１１で支持し、上側を１本の保持部材２０で保持することで、複数の被梱包物Ｐ，Ｐを効率良く収容ケース内に安定して固定することができる。
【００４７】
図９に示すように、締め付けバンド４０の下側に補強用の板材３０を挟んで、締め付けバンド４０の張力Ｔを加えて保持部材２０を締め付けると、板材３０は第１の傾斜面２４ａ，２４ａに沿って撓み、複数の被梱包物Ｐ，Ｐをバランス良く押圧するため、保持部材２０に加わる局所的な衝撃を緩和することができる。
【００４８】
これにより、梱包材としての保持部材２０、支持部材１１の破損を防止でき、梱包状態をより安定させることができる。すなわち、補強用の板材３０が背骨のように機能して、保持部材２０を強化して割れや、ずれ等の発生を防止できる。さらに、締め付けバンド４０による締め付け時に、補強用の板材３０を第１の傾斜面２４ａ、２４ａに沿って撓ませると共に、補強用の板材３０の復元力により締め付けバンド４０の緩みを防止することができる。
【００４９】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００５０】
例えば、前記の実施形態では、下方に位置する支持部材として２本の支持部材を使用し、上方に位置する保持部材として１本の保持部材を使用する例を示したが、下方に３本以上を使用するとともに、上方に２本以上を使用するように構成してもよい。
【００５１】
また、支持部材の支持溝、保持部材の保持溝として、直方体状の溝の例を示したが、梱包される被梱包物の断面形状に合わせて、段差部や湾曲部等、適宜の形状とすることが好ましい。収容ケースの床面は必ずしも必要でなく、支持部材を載置できれば下梁材の上に直接載置してもよい。
【００５２】
本実施形態では、被梱包物の上部を保持する保持部材に凹溝を設けたが、締め付けバンドで複数の被梱包物を締め付けて、収容ケースに固定することができるのであれば、被梱包物の下部を支持する支持部材に凹溝を設けてもよく、支持部材と保持部材の双方に凹溝を設けてもよい。
【００５３】
また、本実施形態では、凹溝の傾斜面を、平坦面に対して傾斜勾配の異なる第１の傾斜面および第２の傾斜面からなる２つの傾斜面で構成したが、傾斜面は１つの傾斜面からなってもよく、さらに、傾斜勾配が異なる３以上の傾斜面からなり、各傾斜面は、平坦面の両端から前記凹溝の端部に進むに従って傾斜勾配が大きくなっていてもよい。さらに傾斜面が上述した如き曲面（湾曲面）であってもよく、凹溝の底面に平坦面を有さず、凹溝の両側に向かって傾斜した、上述した如き曲面（湾曲面）のみから構成されていてもよい。
【００５４】
また、本実施形態では、梱包材として、支持部材と保持部材とで構成したが、上述した凹溝を有し、締め付けバンドを挿通し、被梱包物を好適に支持乃至は保持するものであれば、これらの個数は特に限定されるものではなく、支持部材および保持部材のいずれか一方の部材で構成された梱包材であってもよい。
【産業上の利用可能性】
【００５５】
本発明の活用例として、被梱包物の下辺を支持する支持部材と、上辺を保持する保持部材を用いて、自動車のボンネット、ドアパネル、トランクリッド等の自立し難い部品を、立てた姿勢で収容ケース内に収容固定することができる。
【符号の説明】
【００５６】
１：収容ケース、１０：梱包材、１１：支持部材、１２：支持溝、１３：側壁、２０：保持部材、２１：保持溝、２２：凹溝、２３：平坦面、２４ａ：第１の傾斜面、２４ｂ：第２の傾斜面、２６：バックル、３０：補強用の板材、４０：締め付けバンド、Ｐ：被梱包物
【図１】
0005946584.tif 000002
【図２】
0005946584.tif 000003
【図３】
0005946584.tif 000004
【図４】
0005946584.tif 000005
【図５】
0005946584.tif 000006
【図６】
0005946584.tif 000007
【図７】
0005946584.tif 000008
【図８】
0005946584.tif 000009
【図９】
0005946584.tif 000010